【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
通信を途切れなく転送するためのコンピュータに実装された方法であって、前記方法は、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備え、
ユーザログインは、前記第２装置における第１のクライアントアプリケーションのユーザに関連づけられており、
前記ユーザログインは、前記第３装置における第２のクライアントアプリケーションの前記ユーザに関連づけられているコンピュータに実装された方法。
【請求項２】
請求項１に記載のコンピュータに実装された方法であって、
前記第３装置は、前記第３装置の機能に関する情報を通信する、ことを特徴とするコンピュータに実装された方法。
【請求項３】
請求項２に記載のコンピュータに実装された方法であって、
前記第３装置の前記機能に基づいて前記少なくとも１つの通信のパラメータを調整する、ことを更に備える、ことを特徴とするコンピュータに実装された方法。
【請求項４】
請求項３に記載のコンピュータに実装された方法であって、
前記パラメータの前記調整は、拡張可能コーデックを前記少なくとも１つの通信のために使用し、前記少なくとも１つの通信の階層数を調整する、ことを特徴とするコンピュータに実装された方法。
【請求項５】
請求項３に記載のコンピュータに実装された方法であって、
前記パラメータの前記調整は、前記少なくとも１つの通信の符号化レートを調整する、ことを特徴とするコンピュータに実装された方法。
【請求項６】
請求項３に記載のコンピュータに実装された方法であって、
前記パラメータの前記調整は、前記少なくとも１つの通信の出力リゾリューションを調整する、ことを特徴とするコンピュータに実装された方法。
【請求項７】
請求項３に記載のコンピュータに実装された方法であって、
前記パラメータの前記調整は、前記少なくとも１つの通信ためのコーデックを変更する、ことを特徴とするコンピュータに実装された方法。
【請求項８】
請求項１から７のいずれかに記載のコンピュータに実装された方法であって、
前記転送するステップは、前記少なくとも１つの通信の第１部分を第１チャネル上で前記第３デバイスに送信し、前記少なくとも１つの通信の第２部分を第２チャネル上で前記第３デバイスに送信する、ことを特徴とするコンピュータに実装された方法。
【請求項９】
請求項１から７のいずれかに記載のコンピュータに実装された方法であって、
前記少なくとも１つの通信は、音声通信である、ことを特徴とするコンピュータに実装された方法。
【請求項１０】
請求項１から７のいずれかに記載のコンピュータに実装された方法であって、
前記少なくとも１つの通信は、動画通信である、ことを特徴とするコンピュータに実装された方法。
【請求項１１】
請求項１から７のいずれかに記載のコンピュータに実装された方法であって、
前記第１装置は、コンピュータシステムと、携帯装置と、電話機とからなる装置のグループから選択された装置である、ことを特徴とするコンピュータに実装された方法。
【請求項１２】
請求項１から７のいずれかに記載のコンピュータに実装された方法であって、
前記少なくとも１つの通信の前記確立は、第１装置、第２装置及び第４装置の間の通信を確立することを更に備える、ことを特徴とするコンピュータに実装された方法。
【請求項１３】
請求項１から７のいずれかに記載のコンピュータに実装された方法であって、
前記少なくとも１つの通信の前記確立は、複数の通信である、ことを特徴とするコンピュータに実装された方法。
【請求項１４】
コンピュータシステムに通信を途切れなく転送するステップを実行させるための命令が一体化されて保持されるコンピュータ利用可能保存媒体であって、
第１装置及び第２装置の間の少なくとも１つの通信を確立し、
前記少なくとも１つの通信を中断することなく、前記第１装置からの前記少なくとも１つの通信を切断することなく、前記少なくとも１つの通信を第２装置から第３装置に転送する、ことを備え、
ユーザログインは、前記第２装置における第１のクライアントアプリケーションのユーザに関連づけられており、
前記ユーザログインは、前記第３装置における第２のクライアントアプリケーションの前記ユーザに関連づけられているコンピュータ利用可能保存媒体。
【請求項１５】
請求項１４に記載のコンピュータ利用可能保存媒体であって、
前記第３装置は、前記第３装置の機能に関する情報を通信する、ことを特徴とするコンピュータ利用可能保存媒体。
【請求項１６】
請求項１５に記載のコンピュータ利用可能保存媒体であって、
前記第３装置の前記機能に基づいて前記少なくとも１つの通信のパラメータを調整する、ことを更に備える、ことを特徴とするコンピュータ利用可能保存媒体。
【請求項１７】
請求項１５に記載のコンピュータ利用可能保存媒体であって、
前記パラメータの前記調整は、拡張可能コーデックを前記少なくとも１つの通信のために使用し、前記少なくとも１つの通信の階層数を調整する、ことを特徴とするコンピュータ利用可能保存媒体。
【請求項１８】
請求項１５に記載のコンピュータ利用可能保存媒体であって、
前記パラメータの前記調整は、前記少なくとも１つの通信の符号化レートを調整する、ことを特徴とするコンピュータ利用可能保存媒体。
【請求項１９】
請求項１５に記載のコンピュータ利用可能保存媒体であって、
前記パラメータの前記調整は、前記少なくとも１つの通信の出力リゾリューションを調整する、ことを特徴とするコンピュータ利用可能保存媒体。
【請求項２０】
請求項１５に記載のコンピュータ利用可能保存媒体であって、
前記パラメータの前記調整は、前記少なくとも１つの通信ためのコーデックを変更する、ことを特徴とするコンピュータ利用可能保存媒体。
【請求項２１】
請求項１４から２０のいずれかに記載のコンピュータ利用可能保存媒体であって、
前記少なくとも１つの通信を転送するステップは、前記少なくとも一つの通信の音声部分を第３装置に転送し、前記少なくとも一つの通信の動画部分を第４装置に転送する、ことを更に備える、ことを特徴とするコンピュータ利用可能保存媒体。
【請求項２２】
請求項１４から２０のいずれかに記載のコンピュータ利用可能保存媒体であって、
前記少なくとも１つの通信は、音声通信である、ことを特徴とするコンピュータ利用可能保存媒体。
【請求項２３】
請求項１４から２０のいずれかに記載のコンピュータ利用可能保存媒体であって、
前記少なくとも１つの通信は、動画通信である、ことを特徴とするコンピュータ利用可能保存媒体。
【請求項２４】
請求項１４から２０のいずれかに記載のコンピュータ利用可能保存媒体であって、
前記第１装置は、コンピュータシステムと、携帯装置と、電話機とからなる装置のグループから選択された装置である、ことを特徴とするコンピュータ利用可能保存媒体。
【請求項２５】
請求項１４から２０のいずれかに記載のコンピュータ利用可能保存媒体であって、
前記少なくとも１つの通信の前記確立は、第１装置、第２装置及び第４装置の間の通信を確立することを更に備える、ことを特徴とするコンピュータ利用可能保存媒体。
【請求項２６】
請求項１４から２０のいずれかに記載のコンピュータ利用可能保存媒体であって、
前記少なくとも１つの通信の前記確立は、複数の通信である、ことを特徴とするコンピュータ利用可能保存媒体。
【請求項２７】
途切れなく通信を転送するためのシステムであって、
第１装置及び第２装置の間の少なくとも１つの通信を確立するように構成された接続モジュールと、
前記少なくとも１つの通信を中断することなく、前記第１装置からの前記少なくとも１つの通信を切断することなく、前記少なくとも１つの通信を第２装置から第３装置に転送するように構成された転送モジュールと、を備え、
ユーザログインは、前記第２装置における第１のクライアントアプリケーションのユーザに関連づけられており、
前記ユーザログインは、前記第３装置における第２のクライアントアプリケーションの前記ユーザに関連づけられているシステム。
【請求項２８】
請求項２７に記載のシステムであって、
前記第３装置の機能に関する情報を通信するように構成された情報モジュール、を更に備える、ことを特徴とするシステム。
【請求項２９】
請求項２７に記載のシステムであって、
前記第３装置の前記機能に基づいて前記少なくとも１つの通信のパラメータを調整するように構成されたパラメータ調整モジュールを更に備える、ことを特徴とするシステム。
【請求項３０】
請求項２７から２９のいずれかに記載のシステムであって、
前記少なくとも１つの通信を転送するステップは、前記少なくとも一つの通信の音声部分を第３装置に転送し、前記少なくとも一つの通信の動画部分を第４装置に転送する、ことを更に備える、ことを特徴とするシステム。
【請求項３１】
通信を途切れなく転送するためのコンピュータに実装された方法であって、前記方法は、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備え、
ユーザログインは、前記第２装置における第１のクライアントアプリケーションのユーザに関連づけられており、
前記ユーザログインは、前記第３装置における第２のクライアントアプリケーションの前記ユーザに関連づけられているコンピュータに実装された方法。
【請求項３２】
請求項３１に記載のコンピュータに実装された方法であって、
前記基準は、前記複数のチャネルの品質比較に基づいている、ことを特徴とするコンピュータに実装された方法。
【請求項３３】
請求項３１に記載のコンピュータに実装された方法であって、
前記基準は、前記複数のチャネルの費用に基づいている、ことを特徴とするコンピュータに実装された方法。
【請求項３４】
請求項３１から３３のいずれかに記載のコンピュータに実装された方法であって、
前記転送するステップは、前記複数のチャネルの少なくとも１つにおいてユーザとサービスプロバイダの組み合わせによって制御される、ことを特徴とするコンピュータに実装された方法。
【請求項３５】
請求項３１から３３のいずれかに記載のコンピュータに実装された方法であって、
前記通信は、音声通信である、ことを特徴とするコンピュータに実装された方法。
【請求項３６】
請求項３１から３３のいずれかに記載のコンピュータに実装された方法であって、
前記通信は、動画通信である、ことを特徴とするコンピュータに実装された方法。
【請求項３７】
請求項３１から３３のいずれかに記載のコンピュータに実装された方法であって、
前記複数のチャネルの少なくとも一つは、イーサネットチャネルである、ことを特徴とするコンピュータに実装された方法。
【請求項３８】
請求項３１から３３のいずれかに記載のコンピュータに実装された方法であって、
前記複数のチャネルの少なくとも一つは、ＷｉＦｉチャネルである、ことを特徴とするコンピュータに実装された方法。
【請求項３９】
請求項３１から３３のいずれかに記載のコンピュータに実装された方法であって、
前記複数のチャネルの少なくとも一つは、ＷｉＭａｘチャネルである、ことを特徴とするコンピュータに実装された方法。
【請求項４０】
請求項３１から３３のいずれかに記載のコンピュータに実装された方法であって、
前記複数のチャネルの少なくとも一つは、携帯電話網チャネルである、ことを特徴とするコンピュータに実装された方法。
【請求項４１】
コンピュータシステムに通信を途切れなく転送するステップを実行させるための命令が一体化されて保持されるコンピュータ利用可能保存媒体であって、
第１チャネルを使用して第１装置において通信を受信し、
前記第１チャネルに利用可能な複数のチャネルを識別し、
前記第１チャネルから、基準に基づいて選択された第２チャネルに前記通信を転送する、ことを備え、
ユーザログインは、前記第２装置における第１のクライアントアプリケーションのユーザに関連づけられており、
前記ユーザログインは、前記第３装置における第２のクライアントアプリケーションの前記ユーザに関連づけられているコンピュータ利用可能保存媒体。
【請求項４２】
請求項４１に記載のコンピュータ利用可能保存媒体であって、
前記基準は、前記複数のチャネルの品質比較に基づいている、ことを特徴とするコンピュータ利用可能保存媒体。
【請求項４３】
請求項４１に記載のコンピュータ利用可能保存媒体であって、
前記基準は、前記複数のチャネルの費用に基づいている、ことを特徴とするコンピュータ利用可能保存媒体。
【請求項４４】
請求項４１に記載のコンピュータ利用可能保存媒体であって、
前記通信は、音声通信である、ことを特徴とするコンピュータ利用可能保存媒体。
【請求項４５】
請求項４１から４４のいずれかに記載のコンピュータ利用可能保存媒体であって、
前記複数のチャネルの少なくとも１つは、公衆交換電話網（ＰＳＴＮ）である、ことを特徴とするコンピュータ利用可能保存媒体。
【請求項４６】
請求項４１から４４のいずれかに記載のコンピュータ利用可能保存媒体であって、
前記通信は、動画通信である、ことを特徴とするコンピュータ利用可能保存媒体。
【請求項４７】
請求項４１から４４のいずれかに記載のコンピュータ利用可能保存媒体であって、
前記複数のチャネルの少なくとも一つは、イーサネットチャネルである、ことを特徴とするコンピュータ利用可能保存媒体。
【請求項４８】
請求項４１から４４のいずれかに記載のコンピュータ利用可能保存媒体であって、
前記複数のチャネルの少なくとも一つは、ＷｉＦｉチャネルである、ことを特徴とするコンピュータ利用可能保存媒体。
【請求項４９】
請求項４１から４４のいずれかに記載のコンピュータ利用可能保存媒体であって、
前記複数のチャネルの少なくとも一つは、ＷｉＭａｘチャネルである、ことを特徴とするコンピュータ利用可能保存媒体。
【請求項５０】
請求項１に記載のコンピュータに実装された方法であって、
前記少なくとも一つの通信の前記転送は、前記少なくとも一つの通信の音声部分を第３装置に転送し、前記少なくとも一つの通信の動画部分を第４装置に転送する、ことを更に備える、ことを特徴とするコンピュータに実装された方法。
【請求項５１】
請求項１４に記載のコンピュータ利用可能保存媒体であって、
前記少なくとも一つの通信の前記転送は、前記少なくとも一つの通信の音声部分を前記第３装置に転送し、前記少なくとも一つの通信の動画部分を第４装置に転送する、ことを更に備える、ことを特徴とするコンピュータに実装された方法。